(57)【要約】【課題】ハウジングインシュレータにクラックが発生するのを防ぎ、かつコンタクトの保持力が十分得られるようにする。【解決手段】コンタクト１は、コネクタのハウジングインシュレータ５に圧入されて保持される構造を有しており、圧入方向に延びた本体部２と、この本体部２から圧入方向と直交する方向に突出した突起部３とを備えている。また、この突起部３には、その側面に、突起部３の突出先端面部分の面積が小さくなるように、本体部２の両面から突出先端面にかけて傾斜した面取り部４が形成されている。このコンタクト１の突起部３の側面に形成されている面取り部４は本体部２の突起部３の設けられていない面から直ちに傾斜し始めている。【選択図】図１
2008282668.tif 000002
【特許請求の範囲】
【請求項１】
コネクタのハウジングインシュレータに圧入されて保持されるコンタクトであって、
圧入方向に延びた本体部と、この本体部から圧入方向と直交する方向に突出した突起部と、を備え、
前記突起部の側面に、突起部先端面の面積が小さくなるように、先端面にかけて傾斜した面取り部が形成されていることを特徴とするコンタクト。
【請求項２】
前記面取り部が、
前記本体部の、突起部の設けられていない面から直ちに傾斜し始める構造である
ことを特徴とする請求項１記載のコンタクト。
【請求項３】
前記面取り部が、
前記本体部の、突起部が設けられていない面を予め定められた寸法だけ突出方向に延長したところから傾斜し始める構造である
ことを特徴とする請求項１記載のコンタクト。
【請求項４】
前記突起部が、
前記本体部の圧入方向と直交する両側の相対する位置に設けられた構造である
ことを特徴とする請求項１乃至請求項３の何れか１項に記載のコンタクト。
【請求項５】
前記突起部が、
前記本体部の圧入方向と直交する両側それぞれに複数箇設けられた構造である
ことを特徴とする請求項１乃至請求項４の何れか１項に記載のコンタクト。
【請求項６】
前記突起部が、
前記本体部の圧入方向と直交する両側に設けられ、かつそのうちの少なくとも一方の側には複数箇設けられ、他方の側には、圧入方向で一方の側の配列間隔の間に位置するように設けられていることを特徴とする請求項１乃至請求項３の何れか１項に記載のコンタクト。
【請求項７】
請求項１乃至請求項６の何れか１項に記載のコンタクトをハウジングインシュレータに圧入したことを特徴とするコネクタ。
【発明の詳細な説明】
【技術分野】
【０００１】
本発明は、コネクタのハウジングインシュレータに圧入、保持されるコンタクト、及びこのコンタクトをハウジングインシュレータに圧入保持したコネクタの技術分野に属する。
【背景技術】
【０００２】
ハウジングインシュレータにコンタクトを圧入して保持した構造の、コネクタの一般的な例について、図７を参照して説明する。図７はコンタクト圧入構造のコネクタの一般的な例を説明するための構造図であり、（ａ）はコンタクトの両端がインシュレータより突出する状態で表示した縦断面図であり、（ｂ）は（ａ）のＡ−Ａにおける横断面図であり、（ｃ）は（ａ）のＡ−Ａにおけるハウジングインシュレータの断面図である。
図７（ａ）〜（ｃ）に示すように、このコネクタは、そのコンタクト８が、圧入方向に延びた本体部９と、この本体部９から圧入方向と直交する方向に突出した突起部１０と、を備えており、またハウジングインシュレータ５には、コンタクト８を圧入するコンタクト挿入孔６と、このコンタクト挿入孔６とつながりコンタクト８の突起部１０を保持する突起保持部７とが形成されている。
【０００３】
そして、コンタクト８を、ハウジングインシュレータ５のコンタクト挿入孔６に圧入し、コンタクト８の突起部１０がハウジングインシュレータ５の突起保持部７に到達して保持されるまで押し込む構造となっている。
このコネクタでは、コンタクト８が、断面四辺形形状の本体部９に対し、突起部１０は、この本体部９の厚さ（上下寸法）を保持した状態で突出しており、その部分の断面（Ａ−Ａ断面）形状は四辺形となる。従って、このコンタクト８を圧入、保持するハウジングインシュレータ５のコンタクト挿入孔６の断面も四辺形形状となっている。
【０００４】
このコネクタでは、コンタクト８及びハウジングインシュレータ５のコンタクト挿入孔６の断面形状が共に四辺形となっていて、コンタクト８の各面がコンタクト挿入孔６の面に接しながら、圧入、挿入されるので、挿入力が大きくなり、接触面積も大きいので、ハウジングインシュレータ５の各部に大きな力が働いて、クラックが入ってしまったり、このクラックのためにコンタクト８の保持力が低下してしまう、というような問題点があった。
【０００５】
一方、ハウジングインシュレータにコンタクトを圧入するときのクラック発生を防止する例として、ハウジングインシュレータのコンタクト挿入孔に対し、その断面四辺形の角の部分に面取り部分を設けて、この面取り部分に、コンタクト圧入時にコンタクトを喰い込ませるように圧入して保持力を増大させる構造のものが記載されている（特許文献１、特許文献２参照）。
【特許文献１】実開平７−２５５８３号公報（図１、図２）
【特許文献２】特開２０００−１５００２２号公報（図１、図５）
【発明の開示】
【発明が解決しようとする課題】
【０００６】
上述した背景技術における特許文献１及び特許文献２では、ともにハウジングインシュレータのコンタクト挿入孔の断面四辺形の角に面取り部分を設けて、この部分にコンタクトの角を喰い込ませて圧入、保持する構造となっているので、コンタクトを圧入する際にこのコンタクトの角でハウジングインシュレータを削り取ってしまう上、その圧入力も大きく、ハウジングインシュレータにクラックが発生する危険性は依然として残っており、クラックが発生するとコンタクトの保持力が低下する、という問題点がある。
【０００７】
本発明の課題は、上記問題点を解消して、ハウジングインシュレータにクラックが発生するのを防ぎ、かつコンタクトの保持力を十分得ることができるコンタクト及びコネクタを提供することにある。
【課題を解決するための手段】
【０００８】
本発明は、上記課題を解決するために、以下の各手段構成を有する。
本発明の第１の構成は、コネクタのハウジングインシュレータに圧入されて保持されるコンタクトであって、
圧入方向に延びた本体部と、この本体部から圧入方向と直交する方向に突出した突起部と、を備え、
前記突起部の側面に、突起部先端面の面積が小さくなるように、先端面にかけて傾斜した面取り部が形成されていることを特徴とするコンタクトである。
【０００９】
本発明の第２の構成は、前記第１の構成において、前記面取り部が、
前記本体部の、突起部の設けられていない面から直ちに傾斜し始める構造であることを特徴とするコンタクトである。
【００１０】
本発明の第３の構成は、前記第１の構成において、前記面取り部が、
前記本体部の、突起部が設けられていない面を予め定められた寸法だけ突出方向に延長したところから傾斜し始める構造であることを特徴とするコンタクトである。
【００１１】
本発明の第４の構成は、前記第１の構成乃至第３の構成のいずれか１つの構成において、前記突起部が、
前記本体部の圧入方向と直交する両側の相対する位置に設けられた構造であることを特徴とするコンタクトである。
【００１２】
本発明の第５の構成は、前記第１の構成乃至第４の構成の何れか１つの構成において、前記突起部が、
前記本体部の圧入方向と直交する両側それぞれに複数箇設けられた構造であることを特徴とするコンタクトである。
【００１３】
本発明の第６の構成は、前記第１の構成乃至第３の構成の何れか１つの構成において、前記突起部が、
前記本体部の圧入方向と直交する両側に設けられ、かつそのうちの少なくとも一方の側には複数箇設けられ、他方の側には、圧入方向で一方の側の配列間隔の間に位置するように設けられていることを特徴とするコンタクトである。
【００１４】
本発明の第７の構成は、前記第１の構成乃至第６の構成の何れか１つの構成のコンタクトがハウジングインシュレータに圧入保持されたものであることを特徴とするコネクタである。
【発明の効果】
【００１５】
本発明の第１の構成においては、コンタクト突起部の側面に、突起部先端面の面積が小さくなるように、先端面にかけて傾斜した面取り部が形成されているので、ハウジングインシュレータにコンタクトを圧入する際のコンタクトがハウジングインシュレータと接触する面積が小さくなるので、圧入力が小さくなるとともに、圧入時、ハウジングインシュレータにかかる圧力が小さくなり、ハウジングインシュレータにクラックが発生するのを防ぐことができ、しかもハウジングインシュレータによるコンタクトの保持力は十分得ることができる、という効果がある。
【００１６】
本発明の第２の構成及び第３の構成においては、コンタクト突起部の側面の、面取り部が、本体部の面からつながって傾斜するように形成されているので、その形成がし易く、加工費を低減することができる、という利点がある。
【００１７】
本発明の第４の構成においては、突起部が挿入方向と直交する方向両側の相対する位置に設けられているので、十分、かつ安定した保持力が得られる上、加工し易い、という利点がある。
【００１８】
本発明の第５の構成においては、突起部が、挿入方向と直交する方向両側に複数箇設けられているので、保持力及び保持安定性がより一層増大する、という利点がある。
【００１９】
本発明の第６の構成においては、圧入方向において、一方の側の突起部の配列間隔の間に他方の側の突起部が位置するように設けられているので、コンタクト圧入の際にこの突起部がハウジングインシュレータに保持される迄の間、コンタクト本体部が弾性変形して、圧入が容易となりクラックが発生するのを防ぐことができ、突起部がハウジングインシュレータに保持されるとコンタクト本体も元の形状に戻って十分な保持力が得られる、という利点がある。
【００２０】
本発明の第７の構成においては、上記のような効果、利点を有するコンタクトを、ハウジングインシュレータに圧入、保持する構造のコネクタであるので、ハウジングインシュレータにクラックが発生する等の不具合は解消されコンタクトの保持力も十分なコネクタが得られる、という効果がある。
【発明を実施するための最良の形態】
【００２１】
本発明を実施するための最良の形態は、コンタクトの突起部の側面に形成する面取り部は、突起部の両側面に設けることにより、加工もし易い上に突起先端面の面積も小さくし易く、ハウジングインシュレータへの圧入力を軽減することができて、ハウジングインシュレータのクラック発生を防止でき、かつ十分な保持力が得られるので、最良である。
また、突起部は、コンタクトの一方側の突起と他方側の突起の位置が、コンタクトの長手方向の位置で互いに中間位置になるように配置すると、圧入時の弾性変形がし易くなって、圧入力が軽減されハウジングインシュレータのクラック発生を防ぐことができ、かつ保持力も十分確保できるので、最良である。
【実施例１】
【００２２】
以下、本発明の実施例について、図面を参照して説明する。
図１は本発明の実施例１を説明するための、コンタクトとハウジングインシュレータとの位置関係を示す構造図であり、（ａ）は保持状態にあるコンタクト全体が見えるようにハウジングインシュレータをカットしたときの縦断面図であり、（ｂ）は（ａ）のハウジングインシュレータカット前のＡ−Ａ矢視図である。
この実施例１におけるコンタクト１は、コネクタのハウジングインシュレータ５に圧入されて保持される構造を有しており、圧入方向に延びた本体部２と、この本体部２から圧入方向と直交する方向に突出した突起部３とを備えており、更に、この突起部３には、その側面に、突起部３の突出先端面部分の面積が小さくなるように、本体部２の両面２Ａ，２Ｂから突出先端面にかけて傾斜した面取り部４が形成されている。この面取り部４は、面打ち加工により容易に形成することができる。
【００２３】
このコンタクト１の、突起部３の側面に形成されている面取り部４は、本体部２の、突起部３の設けられていない面２Ａ，２Ｂから直ちに傾斜し始めている。
なお、ハウジングインシュレータ５は、背景技術における一般的な例で使用しているものを手を加えることなくそのまま使用しており、この一般的な例に対し、本発明では、コンタクトに対し工夫が施されている。
【００２４】
そして、上記のようなコンタクト１とすることにより、コンタクトのハウジングインシュレータへの圧入時に、コンタクト１の突起部３の先端面がハウジングインシュレータ５のコンタクト挿入孔６の側面に接触する面積が小さくなるので、コンタクト１の圧入力（挿入力）を低減することができ、ハウジングインシュレータ５が削り取られる量を少なくし、かつ、ハウジングインシュレータ５にクラックが発生するのを防ぐことができるとともにコンタクト１の保持力を十分確保することができる。
上述した例では、突起部３の両側面に面取り部４が形成されている構造となっているが、この面取り部は、突起部の片側の面だけに形成することもできる。
【００２５】
図２は、本体部２の両側に突出した突起部３それぞれの２つの側面に対し、同一側の側面に面取り部が形成されているコンタクトを挿入方向から見た図であり、（ａ）は第１の側面に形成されている図であり、（ｂ）は（ａ）とは逆側の、第２の側面に形成されている図である。
また、図３は本体部２の両側に突出した突起部３それぞれの２つの側面に対し、異なる側の側面に面取り部が形成されているコンタクトを挿入方向から見た図であり、（ａ）は一方の突起部には第１の側面に、他方の突起部には第２の側面に面取り部が形成されている図であり、（ｂ）は（ａ）とは逆に、一方の突起部には第２の側面に、他方の突起部には第１の側面に面取り部が形成されている図である。
【００２６】
図２及び図３に示すように、面取り部４が突起部３の片側の、側面に形成されている場合であっても、コンタクト圧入時のハウジングインシュレータとの接触面積を小さくすることができて、ハウジングインシュレータ５のクラック発生を防止し、かつ、十分な保持力が得られる。
【実施例２】
【００２７】
図４は、本発明の実施例２を説明するためのコンタクトとハウジングインシュレータとの位置関係を示す構造図であり、（ａ）は保持状態にあるコンタクト全体が見えるようにハウジングインシュレータをカットしたときの縦断面図であり、（ｂ）はそのハウジングインシュレータカット前のＡ−Ａ矢視図である。
この実施例２では、突起部側面に形成されている面取り部４Ａが、コンタクト１Ａの本体部２の、突起部３Ａが設けられていない面を予め定められた寸法だけ突出方向に延長したところから傾斜し始める形状となっている。
【００２８】
即ち、突起部３Ａの側面に対し、面取り部４Ａが、突起部３Ａ側に入ってから傾斜し始める形状となっている。
この実施例２においても、面取り部４Ａは、実施例１と同様に、突起部３Ａの両側面、突起部３Ａ側面の片側でかつ同一側の面、突起部３Ａ側面の片側でかつ左右で異なる側面に形成することができ、実施例１と同様の効果も得られる。
【実施例３】
【００２９】
図５は、本発明の実施例３を説明するためのコンタクトのみの平面図である。
この実施例３におけるコンタクト１Ｂは、突起部３Ｂが本体部２の圧入方向と直交する方向の、少なくとも一方の側面２Ｃに複数箇設けられている例を示す。
そして、複数箇設けられている側の突起部３Ｂの配列間隔の間に、他方の側の突起部３Ｂが位置するように設けられている。
そして、一方の側と他方の側の、突起部３Ｂの位置関係は、一方の側の配列間隔に対し、その中央の位置に他方の側の突起部３Ｂが位置するようにすると、コンタクト１Ｂの圧入力を最も小さくすることができる。
即ち、図５において、Ｄ１＝Ｄ２とするとコンタクト圧入力が最小となる。
【００３０】
図６は、コンタクト圧入力が低減される理由を説明するためのコンタクトのみの平面図であり、コンタクト１Ｂが弾性変形する様子を、コンタクト１Ｂの中心線で示している。
コンタクト１Ｂが圧入されてハウジングインシュレータに保持、固定されるまでは、図６に示されたように、コンタクト１Ｂが、うねっている中心線で示すように弾性変形するので、コンタクト１Ｂの圧入力を軽減することができる。なお、コンタクト１Ｂがハウジングインシュレータに保持、固定されると、コンタクト１Ｂの変形は無くなり元の形に戻るので、ハウジングインシュレータに対するコンタクト１Ｂの保持力は十分得られる。
【図面の簡単な説明】
【００３１】
【図１】本発明の実施例１を説明するための、コンタクトがハウジングインシュレータに保持されている状態を示す縦断面図及びそのＡ−Ａ矢視図である。
【図２】本発明の実施例１におけるコンタクトの左右の突起部側面の面取り部がコンタクト本体部の同一面側にある例を示す挿入方向から見た図である。
【図３】本発明の実施例１におけるコンタクトの左右の突起部側面の面取り部が互いにコンタクト本体部の反対面側にある例を挿入方向から見た図である。
【図４】本発明の実施例２を説明するためのコンタクトがハウジングインシュレータに保持されている状態を示す縦断面図及びそのＡ−Ａ矢視図である。
【図５】本発明の実施例３を説明するためのコンタクトのみの平面図である。
【図６】図５に示されたコンタクトが圧入時に弾性変形することを説明するためのコンタクトのみの平面図である。
【図７】背景技術における一般的な例のコンタクト圧入コネクタの縦断面図及びそのＡ−Ａ矢視図並びにハウジングインシュレータのＡ−Ａ矢視図である。
【符号の説明】
【００３２】
１，１Ａ，１Ｂ  コンタクト
２  本体部
３，３Ａ，３Ｂ  突起部
４，４Ａ，４Ｂ  面取り部
５  ハウジングインシュレータ
６  コンタクト挿入孔
７  突起保持部
８  コンタクト
９  本体部
１０  突起部
【図１】
2008282668.tif 000003
【図２】
2008282668.tif 000004
【図３】
2008282668.tif 000005
【図４】
2008282668.tif 000006
【図５】
2008282668.tif 000007
【図６】
2008282668.tif 000008
【図７】
2008282668.tif 000009